(57)【要約】【課題】高周波信号を伝送する同軸ケーブルのコネクタ部に対する回路ユニットの着脱を容易にし、且つ特性の劣化を防止する。【解決手段】同軸ケーブル接続補助装置６１は、同軸ケーブル３９の自由端側に設けられたねじ込み接続方式のコネクタ部４０を、保持体６２に貫通形成された長穴６３に、その回転が規制された状態で且つ長穴６３の長さ方向に移動できる状態で受け入れ、さらに、この保持体６２をベース部材６５により、長穴６３の長さ方向と貫通方向に直交する方向へ摺動自在に且つ長穴６３の長さ方向に平行な軸を中心に回動自在に支持しており、回路ユニットのコネクタ部との間の中心軸のずれに対処し、同軸ケーブル３９に捩れを与えることなくコネクタ部同士の着脱を行えるようにしている。【選択図】図３
2007141567.tif 000002
【特許請求の範囲】
【請求項１】
外筒部（４０ａ）の形状が多角形で同軸ケーブル（３９）の自由端側に設けられたねじ込み接続方式のコネクタ部（４０）を保持して、該コネクタ部に対する回路ユニット（５０）のコネクタ部（５１）の接続操作を補助するための同軸ケーブル接続補助装置であって、
前記同軸ケーブルのコネクタ部の外筒部の最小寸法以上で最大寸法未満の幅と、前記最大寸法より大の長さをもつ長穴（６３）が一面側から反対面側へ貫通するように形成され、該長穴内に前記同軸ケーブルのコネクタ部を受け入れて、該コネクタ部の前記長穴の長さ方向への移動が自在で且つ回転を規制した状態に保持する保持体（６２）と、
前記保持体を前記長穴の貫通方向および長さ方向に直交する方向へ摺動自在に、且つ前記長穴の長さ方向に平行な軸を中心に回動自在に支持するベース部材（６５）とを備えたことを特徴とする同軸ケーブル接続補助装置。
【請求項２】
前記回路ユニットをそのコネクタ部が前記保持体に保持された同軸ケーブルの自由端側のコネクタ部に対して接離できるように案内支持するユニット支持部（７０）を備えたことを特徴とする請求項１記載の同軸ケーブル接続補助装置。
【請求項３】
信号入力端子（３２、３３）と複数の信号出力端子（３４、３５）とを有し、前記信号入力端子から入力された信号を、前記複数の信号出力端子に選択的に出力または分岐出力する信号経路回路（３０）と、
前記信号経路回路の前記複数の信号出力端子の一つに一端側が固定され、自由端側に外筒部（４０ａ）の形状が多角形のネジ込み接続方式のコネクタ部（４０）が設けられた同軸ケーブル（３９）と、
前記同軸ケーブルの自由端側のコネクタ部に接続可能なコネクタ部（５１）を有し、該コネクタ部から入力された信号の電力を検出するパワーセンサ（５０）と、
前記同軸ケーブルの自由端側に設けられたコネクタ部を保持して、該コネクタ部に対する前記パワーセンサのコネクタ部の接続操作を補助するための同軸ケーブル接続補助装置（６０）とを備え、前記信号経路回路の複数の信号出力端子から該信号出力端子にケーブル接続される測定機器（８５）の入力端までの信号経路の損失を校正できるようにした測定経路校正装置であって、
前記同軸ケーブル接続補助装置が、前記パワーセンサを回路ユニットとする前記請求項１または請求項２記載の同軸ケーブル接続補助装置であることを特徴とする測定経路校正装置。
【発明の詳細な説明】
【技術分野】
【０００１】
本発明は、高周波信号を伝送する同軸ケーブルのコネクタ部に対する回路ユニットの着脱を容易にし、且つ特性の劣化を防止するための技術に関する。
【背景技術】
【０００２】
回路ユニット間で信号を漏洩なく且つ小損失で伝送するために、中心導体を外部導体で覆った構造の同軸ケーブルが広く用いられており、このような同軸ケーブルを用いて回路ユニット間を接続する装置の中には、同軸ケーブルの一端側に接続された回路ユニットを定期的に着脱するものがある。
【０００３】
例えば、高周波信号の電力を測定するためのパワーセンサ等の各種センサを用いた装置では、そのセンサを高精度に維持するために、測定開始時に装置から取り外して基準信号による校正を行ってから、装置に戻して使用している。
【０００４】
このように頻繁に同軸ケーブルに対する回路ユニットの着脱操作を行う必要がある装置で、単純に同軸ケーブルの一端側を自由端とし、その自由端側のコネクタ部と回路ユニットのコネクタ部との間の着脱作業を人手により行う場合、同軸ケーブル自体に無理な力が加わりやすく、同軸ケーブルに曲りや捩れを発生させて特性劣化を招く恐れがある。
【０００５】
このような問題を解決する技術として、同軸ケーブルの自由端側を保持部材により所定位置に固定保持し、この固定保持された同軸ケーブルの自由端側のコネクタ部の中心軸と、回路ユニットのコネクタ部の中心軸とが一致しする状態で回路ユニットをガイドする構造が考えられる。
【０００６】
ところが、保持部材やガイド機構の精度のバラツキにより、両コネクタ部の中心軸にずれが生じ、そのずれが大きいときには、コネクタ部同士の接続が不可能となり、ずれが小さい場合でも、高い周波数になると特性が急激に悪化する等の問題が発生する。
【０００７】
このような同軸ケーブルのコネクタ部に対する回路ユニットの接続を容易にする技術に関して、例えば次の特許文献１には、一方のコネクタ部に、その軸の長さ方向およびそれと直交する方向、さらに傾き方向に自由度をもたせて保持するフローティングマウント装置が開示されている。
【０００８】
【特許文献１】特開平１０−１０６６７７号公報
【発明の開示】
【発明が解決しようとする課題】
【０００９】
しかしながら、上記特許文献１の従来装置は差込み接続方式（スナップイン型）のコネクタで且つそれを中継用に用いる技術であり、６ＧＨｚ程度までの周波数にしか対応しておらず、より高い周波数で良好な特性を有するねじ込み接続方式のコネクタには適用できないという問題があった。
【００１０】
また、ねじ込み接続方式は、その一方側のコネクタ部の外筒部を回転させて他方側のコネクタに螺合させて接続するので、着脱作業時にコネクタ部に接続されている同軸ケーブルに捩れ方向の力が加わり、特性劣化を招くという問題があった。特に、上記したように信号の周波数が高い場合、同軸ケーブルの捩れと中心軸のずれによる特性劣化により大きな信号損失が発生するため、信号レベルの精度が問題になる装置では重要な問題となっている。
【００１１】
本発明は、上記問題を解決して、中継コネクタを用いずに高周波特性が良好なねじ込み接続方式のコネクタ部をそのまま用いる簡単な構造で、高周波特性を犠牲にすることなく、同軸ケーブルの自由端側に設けられたネジ込み接続方式のコネクタ部に対する回路ユニットのコネクタ部の着脱作業を容易にし、その着脱の際に同軸ケーブルの特性劣化を招くことがない同軸ケーブル接続補助装置およびこれを用いた測定経路校正装置を提供することを目的としている。
【課題を解決するための手段】
【００１２】
前記目的を達成するために、本発明の請求項１の同軸ケーブル接続補助装置は、
外筒部（４０ａ）の形状が多角形で同軸ケーブル（３９）の自由端側に設けられたねじ込み接続方式のコネクタ部（４０）を保持して、該コネクタ部に対する回路ユニット（５０）のコネクタ部（５１）の接続操作を補助するための同軸ケーブル接続補助装置であって、
前記同軸ケーブルのコネクタ部の外筒部の最小寸法以上で最大寸法未満の幅と、前記最大寸法より大の長さをもつ長穴（６３）が一面側から反対面側へ貫通するように形成され、該長穴内に前記同軸ケーブルのコネクタ部を受け入れて、該コネクタ部の前記長穴の長さ方向への移動が自在で且つ回転を規制した状態に保持する保持体（６２）と、
前記保持体を前記長穴の貫通方向および長さ方向に直交する方向へ摺動自在に、且つ前記長穴の長さ方向に平行な軸を中心に回動自在に支持するベース部材（６５）とを備えたことを特徴としている。
【００１３】
また、本発明の請求項２の同軸ケーブル接続補助装置は、請求項１記載の同軸ケーブル接続補助装置において、
前記回路ユニットをそのコネクタ部が前記保持体に保持された同軸ケーブルの自由端側のコネクタ部に対して接離できるように案内支持するユニット支持部（７０）を備えたことを特徴としている。
【００１４】
また、本発明の請求項３の測定経路校正装置は、
信号入力端子（３２、３３）と複数の信号出力端子（３４、３５）とを有し、前記信号入力端子から入力された信号を、前記複数の信号出力端子に選択的に出力または分岐出力する信号経路回路（３０）と、
前記信号経路回路の前記複数の信号出力端子の一つに一端側が固定され、自由端側に外筒部（４０ａ）の形状が多角形のネジ込み接続方式のコネクタ部（４０）が設けられた同軸ケーブル（３９）と、
前記同軸ケーブルの自由端側のコネクタ部に接続可能なコネクタ部（５１）を有し、該コネクタ部から入力された信号の電力を検出するパワーセンサ（５０）と、
前記同軸ケーブルの自由端側に設けられたコネクタ部を保持して、該コネクタ部に対する前記パワーセンサのコネクタ部の接続操作を補助するための同軸ケーブル接続補助装置（６０）とを備え、前記信号経路回路の複数の信号出力端子から該信号出力端子にケーブル接続される測定機器（８５）の入力端までの信号経路の損失を校正できるようにした測定経路校正装置であって、
前記同軸ケーブル接続補助装置が、前記パワーセンサを回路ユニットとする前記請求項１または請求項２記載の同軸ケーブル接続補助装置であることを特徴としている。
【発明の効果】
【００１５】
上記のように本発明の同軸ケーブル接続補助装置は、同軸ケーブルの自由端側に設けられたねじ込み接続方式のコネクタ部を、保持体に貫通形成された長穴に、その回転が規制された状態で且つ長穴の長さ方向に移動できる状態で受け入れ、さらに、この保持体は、ベース部材により、長穴の長さ方向と貫通方向に直交する方向へ摺動でき、長穴の長さ方向に平行な軸を中心に回動自在に支持されているので、中継コネクタのように高周波特性に影響を与えない簡単な構造で、同軸コネクタに捩れ方向の力を与えることなく回路ユニットを容易に着脱でき、同軸ケーブルの特性劣化を防ぐことができる。
【００１６】
また、回路ユニットをそのコネクタ部が、保持体に保持された同軸ケーブルの自由端側のコネクタ部に対して接離できる状態で案内支持するユニット支持部を備えたものでは、同軸ケーブルのコネクタ部に対して回路ユニットのコネクタ部を常に同一姿勢で接近させることができ、コネクタ間の接続作業がさらに容易になる。
【発明を実施するための最良の形態】
【００１７】
以下、図面に基づいて本発明の実施の形態を説明する。
図１は、本発明の同軸ケーブル接続補助装置６０の実施形態およびそれを用いた測定経路校正装置２０の概略構造を示している。
【００１８】
この測定経路校正装置２０は、上面側が開口した有底箱状のケース２１と、ケース２１の上面側を覆うカバー２２とを有している。
【００１９】
ケース２１の前面には、外部から信号を入力するための２つの外部入力端子２３、２４と、信号を外部へ出力するための外部出力端子２５が設けられている。外部入力端子２３、２４および外部出力端子２５は、高周波特性が良好なねじ込み接続方式の同軸コネクタ（例えば雌型とする）により構成されている。
【００２０】
ケース２１の内部には、信号経路回路としてのスイッチユニット３０、回路ユニットとしてのパワーセンサ５０および同軸ケーブル接続補助装置６０が設けられている。
【００２１】
スイッチユニット３０はケース２１の底面に固定部材２６により固定されたシールドケース３１を有している。このシールドケース３１の側面には、複数（この例では２つ）の信号入力端子３２、３３と、複数（この例では２つ）の信号出力端子３４、３５が設けられている。信号入力端子３２、３３および信号出力端子３４、３５は、高周波特性が良好なねじ込み接続方式の同軸コネクタ（例えば雌型とする）により構成されている。
【００２２】
スイッチユニット３０の内部には、図２に示しているように、２つのスイッチ（例えば同軸スイッチ）３０ａ、３０ｂが設けられており、このスイッチ３０ａ、３０ｂの切り換えにより、信号入力端子３２、３３のうちの任意の信号入力端子と信号出力端子３４、３５の任意の信号出力端子との間を選択的に接続できるように構成されている。スイッチユニット３０の切り換えは外部から制御する。
【００２３】
なお、ここでは信号経路回路が、２つの信号入力端子３２、３３のいずれかをスイッチ３０ａで選択し、２つ信号出力端子３４、３５のいずれかをスイッチ３０ｂで選択するスイッチユニット３０の場合について説明しているが、一つの信号入力端子から入力された信号をカプラにより分岐して２つの信号出力端子３４、３５から出力する構成の信号経路回路であってもよい。
【００２４】
外部入力端子２３、２４には、同軸ケーブル（例えばセミリジッド型：以下同様）３６、３７の一端側がそれぞれ接続（ここでは直結としているがコネクタ接続でもよい）され、各同軸ケーブル３６、３７の他端側は、スイッチユニット３０の信号入力端子３２、３３にそれぞれコネクタ部３６ａ、３７ａ（例えば雄型）を介して接続されている。
【００２５】
また、外部出力端子２５にも同軸ケーブル３８の一端側が接続（ここでは直結としているがコネクタ接続でもよい）され、同軸ケーブル３８の他端側は、スイッチユニット３０の信号出力端子３４にコネクタ部３８ａ（例えば雄型）を介して接続されている。
【００２６】
スイッチユニット３０の信号出力端子３５には、同軸ケーブル３９の一端側がコネクタ部３９ａ（例えば雄型）を介して接続されている。
【００２７】
また、同軸ケーブル３９の他端側には外筒部４０ａの形状が６角形のねじ込み接続方式のコネクタ部４０（例えば雄型）が設けられている。このコネクタ部４０の外筒部４０ａは回転自在となっており、その先端側内周にはネジ溝（図示せず）が形成されている。コネクタ部４０は同軸ケーブル接続補助装置６０に保持された状態で回路ユニットとしてのパワーセンサ５０の一端側に設けられた信号入力用のコネクタ部５１に接続される。
【００２８】
パワーセンサ５０のコネクタ部５１は、図５に一例を示しているように、回転操作用の大径部５１ａとその中央から所定長突出し、大径部５１ａと一体的に回転する小径部５１ｂを有しており、小径部５１ｂの中心には中心導体（図示せず）が内挿され、外周先端部には、同軸ケーブル３９のコネクタ部４０の外筒部４０ａの内周のネジ溝に螺合する溝５２が形成されている。
【００２９】
パワーセンサ５０は、コネクタ部５１から入力された信号を検波して、その検波出力を他端側のコネクタ部５３から出力できるように構成されており、ケース２１に設けられた穴２１ａからこのコネクタ部５３に後述するパワーメータ９５をケーブル接続することで、入力信号のパワーを知ることができる。
【００３０】
同軸ケーブル接続補助装置６０は、同軸ケーブル３９の自由端側に設けられたコネクタ部４０を保持して、そのコネクタ部４０に対する回路ユニット（この場合パワーセンサ５０）の接続作業を補助するためのものであり、ケーブル保持部６１およびユニット支持部７０とを有している。
【００３１】
ケーブル保持部６１は、保持体６２とベース部材６５とにより構成されている。保持体６２は、図３、図４に示しているように、中央に同軸ケーブル３９のコネクタ部４０の外筒部４０ａの最小寸法以上で最大寸法未満の幅Ｗと、最大寸法より大の長さＬをもち上下方向に延びた長穴６３が一面側から反対面側へ貫通するように形成され、長穴６３内に受け入れたコネクタ部４０を、長穴６３の長さ方向への移動が自在で且つ回転を規制した状態に保持する。
【００３２】
ベース部材６５は、ケース２１の底に固定され、保持体６２を長穴６３の貫通方向および長さ方向に直交する方向へ摺動自在に、且つ長穴６３の長さ方向に平行な軸を中心に回動自在に支持する。
【００３３】
即ち、図４に示しているように、保持体６２の下面中央（長穴６３の直下位置）には、円筒状のボス６４が突設され、ベース部材６５の中央の高段部６５ａには、保持体６２のボス６４を僅かに余裕のある状態で受け入れられる幅の長穴６６が形成されている。保持体６２のボス６４の長さはベース部材６５の板厚より僅かに大となっており、そのボス６４に高段部６５ａの下面側からネジ６７が締め付けられて、保持体６２は、長穴６３の貫通方向と長穴６３の長さ方向とに直交する方向に摺動自在に、且つ長穴６３の長さ方向に平行な軸（この場合、長穴６３の長さ方向の中心軸）を中心に回動できる状態でベース部材６５に支持されている。
【００３４】
なお、ベース部材６５の両側の低段部６５ｂ、６５ｃは、同軸ケーブル３９の自由端の延びている方向と長穴６６の長さ方向とが直交する向きでケース２１にネジ止めされている。
【００３５】
また、同軸ケーブル３９の自由端に設けられているコネクタ部４０の上下方向および左右方向の移動量は、保持体６２の長穴６３の長さとベース部材６５の長穴６６の長さに依存するが、これら長穴６３、６６の長さは、コネクタ部４０、５１の中心軸ずれを修正でき、且つ同軸ケーブル３９に無理な力を与えない程度に設定されている。また、上記実施形態のように同軸ケーブル３９がセミリジッド型のように比較的硬い場合、ベース部材６５に対する保持体６２の回動量は、その同軸ケーブル３９の硬さにより制限されるが、例えばベース部材６５の上面に保持体６２の回動量を所定範囲内に制限するためのストッパを突設して、強引な回動力を与えられない構造にしてもよい。
【００３６】
ユニット支持部７０は、回路ユニットとしてのパワーセンサ５０をそのコネクタ部５１が、ケーブル保持部６１に保持された同軸ケーブル３９のコネクタ部４０に対して接離する直線的な軌道に沿って案内し、支持する。
【００３７】
即ち、図５に一例を示しているように、下部がケース２１にネジ止め固定され、パワーセンサ５０の幅より僅かに広い間隔をもって互いに対向するように平行に立設された側板７１、７２と、側板７１、７２の対向面の中段に両縁が固定され、上面側でパワーセンサ５０を支持する底板７３とを有している。
【００３８】
なお、ケーブル保持部６１とユニット支持部７０は、パワーセンサ５０のコネクタ部５１と同軸ケーブル３９のコネクタ部４０の中心軸同士が一致するように設計されているが、後述するように、各部の加工精度や同軸ケーブル３９の僅かな曲り等により、両コネクタ部の中心軸は必ずしも一致していない場合がある。
【００３９】
次に、例えば被測定信号のスペクトラムを観測する測定システムで上記構成の測定経路校正装置２０を用いる場合について説明する。
【００４０】
図６に示すように、スイッチユニット３０のスイッチ３０ａを信号出力端子２３側に接続し、スイッチ３０ｂを信号出力端子３４側に接続することで、外部入力端子２５に入力された被測定信号は、同軸ケーブル３６、スイッチユニット３０および同軸ケーブル３８、８６を介して測定機器としてのスペクトラムアナライザ８５に入力され、そのスペクトラムが表示される。
【００４１】
ここで、入力された被測定信号は、外部入力端子２３から信号出力端子３４までの信号経路と、信号出力端子３４からスペクトラムアナライザ８５の入力端までの信号経路で減衰するため、スペクトラムアナライザ８５で表示される各スペクトラムのレベルは入力信号の各スペクトラムのレベルを正確に表していない。
【００４２】
外部入力端子２３から信号出力端子３４までの信号経路の損失が既知であるとすると、被測定信号のスペクトラム観測を正しく行うためには、信号出力端子３４からスペクトラムアナライザ８５の入力端までの信号経路の損失を正確に把握する必要があり、そのためには測定経路校正装置２０内の信号出力端子３４にレベルが既知の信号を与える必要がある。
【００４３】
これを実現するために、図６に示しているように、標準信号発生器（ＳＧ）９０を、他方の外部入力端子２４に同軸ケーブル９１を介して接続し、パワーセンサ５０のコネクタ部５３にケーブル９６を介してパワーメータ９５を接続する。
【００４４】
そして、標準信号発生器９０から無変調信号を適度なレベル（パワーセンサ５０に入力される信号のレベルが許容範囲内となるレベル）で入力し、図７に示しているように、スイッチユニット３０のスイッチ３０ａを信号入力端子３３側に接続し、スイッチ３０ｂを信号出力端子３５側に接続し、パワーメータ９５の指示値Ｐａを読み取る。
【００４５】
この指示値Ｐａはパワーセンサ５０の入力端における信号レベル（パワー）を正確に表しており、信号出力端子３５におけるレベルＰｂは、同軸ケーブル３９の損失（既知とする）をＬ１とすると、
Ｐｂ＝Ｐａ＋Ｌ１    （ｄＢｍ）
となる。
【００４６】
ここで、スイッチユニット３０の挿入損失を全ルート同一であるとして、図８に示すように、スイッチ３０ｂを信号出力端子３４側に接続すると、信号出力端子３４における信号レベルはＰｂとなり、このときのスペクトラムアナライザ８５の測定レベルをＰｄとすれば、信号出力端子３４からスペクトラムアナライザ８５の入力端までの信号経路の損失Ｌｘは、
Ｌｘ＝Ｐｂ−Ｐｄ    （ｄＢ）
となる。
【００４７】
このようにして信号出力端子３４からスペクトラムアナライザ８５の入力端までの信号経路の損失Ｌｘを把握したのち、スイッチ３０ａを信号入力端子３２側に接続して図６の状態に戻し、被測定信号を入力させ、その信号のスペクトラムをスペクトラムアナライザ８５で観測するが、前記したように測定経路校正装置２０内の各信号経路の損失は既知であり、且つ信号出力端子３４からスペクトラムアナライザ８５の入力端までの信号経路の損失も上記操作で既知となっているので、スペクトラムアナライザ８５に表示される各スペクトラムのレベルを上記既知の損失分だけ補正することで、外部入力端子２３に入力された信号の正しいレベルを把握することができる。
【００４８】
また、上記のようなスペクトラムのレベルを測定するシステムでは、測定経路校正装置２０のパワーセンサ５０の精度が測定精度を決定することになるので、パワーセンサ５０自体を常に高精度に維持する必要がある。
【００４９】
そのために、測定経路校正装置２０からパワーセンサ５０を取り外して校正処理を行い、校正後のパワーセンサ５０を測定経路校正装置２０に戻すという作業を、測定の開始前あるいは定期的に行う必要がある。
【００５０】
その場合、ユニット支持部７０に支持されているパワーセンサ５０のコネクタ部５１の大径部５１ａを緩み方向に回転操作する。
【００５１】
この操作により、パワーセンサ５０のコネクタ部５１の先端部に螺合していた同軸ケーブル３９のコネクタ部４０の外筒部４０ａも同一方向に回転しようとするが、外筒部４０ａの回転は、保持体６２の長穴６３によって規制されているので、両コネクタ部４０、５１の螺合が緩み、コネクタ部４０に対してパワーセンサ５０のコネクタ部５１が抜ける方向に移動し、両コネクタ部４０、５１の螺合が完全に解除された状態で、パワーセンサ５０をケース２１から外すことができる。
【００５２】
そして、このパワーセンサ５０を校正器（パワーメータ９５が校正機能を有している場合もある）に接続し、パワーセンサ５０に基準レベルの信号を入力し、パワーセンサ５０の出力が基準レベルとなるように校正してからケース２１内に戻し、同軸ケーブル３９に接続する。
【００５３】
この同軸ケーブル接続の際には、パワーセンサ５０をユニット支持部７０の側板７１、７２に挟まれた状態で底板７３の上に載せ、そのコネクタ部５１が同軸ケーブル３９のコネクタ４０に近づく方向に摺動させる。
【００５４】
このとき、ケーブル保持部６１とユニット支持部７０の機械的な加工精度、同軸ケーブル３９の僅かな曲り等により、両コネクタ部４０、５１の中心軸がずれている場合があるが、このずれは同軸ケーブル３９あるいは保持体６２に対する簡単な操作で容易に修正することができる。
【００５５】
例えば、図９の（ａ）のように、コネクタ部５１の中心軸Ｌ１に対してコネクタ部４０の中心軸Ｌ２が僅かに下方（または上方）にずれていたり、傾いている場合には、図９の（ｂ）のように、同軸ケーブル３９の先端側を僅かに上方（または下方）へ押してコネクタ部４０を長穴６３に沿って上方（または下方）へ移動させ、両コネクタ部４０、５１の中心軸を一致させる。
【００５６】
また、図１０の（ａ）のように、コネクタ部５１の中心軸Ｌ１に対してコネクタ部４０の中心軸Ｌ２が左方（または右方）にずれている場合には、図１０の（ｂ）のように、保持体６２を右方（または左方）に摺動させて、両コネクタ部４０、５１の中心軸を一致させる。
【００５７】
また、図１１の（ａ）のように、コネクタ部５１の中心軸Ｌ１に対してコネクタ部４０の中心軸Ｌ２が僅かに左方（または右方）に傾いている場合には、図１１の（ｂ）のように、保持体６２を僅かに時計回り（または反時計回り）に回動させて、両コネクタ部４０、５１の中心軸を一致させる。
【００５８】
上記のようにして両コネクタ部４０、５１の中心軸を一致させたのち、パワーセンサ５０のコネクタ部５１の小径部５１ｂの先端を同軸ケーブル３９のコネクタ部４０の外筒部４０ａに挿入させて、コネクタ部５１の大径部５１ａを締付け方向に回転させることで、コネクタ部４０、５１同士を螺合させることができる。
【００５９】
このように、パワーセンサ５０のコネクタ部５１の中心軸に対して同軸ケーブル３９のコネクタ部４０の中心軸がずれていても、同軸ケーブル接続補助装置６０により同軸ケーブル３９自体に無理な力を与えることなくずれを修正することができ、両コネクタ部４０、５１を容易に接続させることができる。
【００６０】
また、この接続操作の際にパワーセンサ５０のコネクタ部５１を回転しても同軸ケーブル３９側のコネクタ部４０の回転は規制されているので、同軸ケーブル３９に大きな捩れ方向の力が加わらずに済み、同軸ケーブル３９の特性劣化を招く恐れが極めて少ない。
【００６１】
なお、上記実施形態のケーブル保持部６１では、矩形板状の保持体６２の下端部を、凸状に形成されたベース部材６５の高段部で支持する構造であったが、保持体６２およびベース部材６５の形状や支持機構は任意であり、上記構造に限定されない。
【００６２】
また、上記実施形態では、上下方向に延びた長穴６３を有する保持体６２をベース部材６５で左右方向に摺動自在に且つ長穴６３の長さ方向に平行な軸を中心に回動自在に支持していたが、左右方向に延びた長穴６３を有する保持体６２をベース部材６５で上下方向に摺動自在に且つ長穴６３の長さ方向に平行な軸を中心に回動自在に支持するように形成してもよい。
【００６３】
また、上記実施形態では、ケーブル保持部６１とユニット支持部７０とが機械的に独立していたが、共通のベース部材上に一体的に構成してもよい。
【００６４】
また、上記実施形態では同軸ケーブル接続補助装置６０を測定経路校正装置２０に用いた例を示したが、本発明の同軸ケーブル接続補助装置６０は、同軸ケーブルの自由端側のコネクタ部に対して、回路ユニットを頻繁に着脱する必要があるシステムに適用可能である。
【図面の簡単な説明】
【００６５】
【図１】本発明の実施形態の全体構造を示す図
【図２】実施形態の回路構成図
【図３】実施形態の要部の構造例を示す図
【図４】実施形態の要部の分解図
【図５】実施形態の要部の分解図
【図６】実施形態の使用方法を説明するための図
【図７】実施形態の使用方法を説明するための図
【図８】実施形態の使用方法を説明するための図
【図９】実施形態のパワーセンサ取付時の操作を説明するための図
【図１０】実施形態のパワーセンサ取付時の操作を説明するための図
【図１１】実施形態のパワーセンサ取付時の操作を説明するための図
【符号の説明】
【００６６】
２０……測定経路校正装置、２１……ケース、２２……カバー、２３、２４……外部入力端子、２５……外部出力端子、３０……スイッチユニット、３０ａ、３０ｂ……スイッチ、３２、３３……信号出力端子、３４、３５……信号出力端子、３６〜３９……同軸ケーブル、３６ａ〜３９ａ、４０……コネクタ部、４０……外筒部、５０……パワーセンサ、５１、５３……コネクタ部、５１ａ……大径部、５１ｂ……小径部、６０……同軸ケーブル接続補助装置、６１……ケーブル保持部、６２……保持体、６３……長穴、６４……ボス、６５……ベース部材、６６……長穴、６７……ネジ、７０……ユニット支持部、７１、７２……側板、７３……底板、８５……スペクトラムアナライザ、８６……同軸ケーブル、９０……標準信号発生器、９５……パワーメータ
【図１】
2007141567.tif 000003
【図２】
2007141567.tif 000004
【図３】
2007141567.tif 000005
【図４】
2007141567.tif 000006
【図５】
2007141567.tif 000007
【図６】
2007141567.tif 000008
【図７】
2007141567.tif 000009
【図８】
2007141567.tif 000010
【図９】
2007141567.tif 000011
【図１０】
2007141567.tif 000012
【図１１】
2007141567.tif 000013